(57)【要約】【課題】液体タンクの設計の自由度が低下することを抑制できる液体タンク装置を提供する。【解決手段】液体タンク装置は、注入口２２から注入された液体を貯留する液体タンク２と、注入口２２に支持されて、少なくとも一部が液体タンク２の内側空間Ｓに配置される支持体５と、支持体５に取り付けられて、内側空間Ｓに配置される波消体９と、を備え、支持体５と波消体９とは、互いに別体として形成されており、固定手段によって互いに固定されている。【選択図】図３
2020189680.tif 000002
【特許請求の範囲】
【請求項１】
注入口（２２）から注入された液体を貯留する液体タンク（２）と、
前記注入口（２２）に支持されて、少なくとも一部が前記液体タンク（２）の内側空間（Ｓ）に配置される支持体（５）と、
前記支持体（５）に取り付けられて、前記内側空間（Ｓ）に配置される波消体（９）と、を備え、
前記支持体（５）と前記波消体（９）とは、互いに別体として形成されており、固定手段（８）によって互いに固定されている、液体タンク装置。
【請求項２】
前記支持体（５）は、前記注入口（２２）から注入される液体を濾過する濾過部分（７）を有するストレーナ（５）である、請求項１に記載の液体タンク装置。
【請求項３】
前記波消体（９）の下端は、前記液体タンク（２）の底部に沿った形状を有し、
前記波消体（９）は、前記下端が前記底部に沿うように、前記支持体（５）に支持されている、請求項１又は２に記載の液体タンク装置。
【請求項４】
前記波消体（９）は、前記支持体（５）と前記波消体（９）とが互いに嵌合することにより、前記支持体（５）に取り付けられている、請求項１〜３のいずれか一項に記載の液体タンク装置。
【請求項５】
前記固定手段（８）は、前記支持体（５）に形成された、上向きに凹状をなす溝部（８１，８３）であり、
前記波消体（９）は、前記溝部（８１，８３）に嵌合することにより、前記支持体（５）に取り付けられている、請求項４に記載の液体タンク装置。
【発明の詳細な説明】
【技術分野】
【０００１】
本発明は、液体タンク装置に関する。
【背景技術】
【０００２】
特許文献１に開示されている液体タンク装置は、液体を貯留する液体タンクと、液体タンクの注入口に装着されたストレーナとを含んでいる。ストレーナの下部には、下向きに延在する板状体が設けられている。板状体は、液体タンクに貯留された液体に浸漬するように配置されている。そのため、液体に波が生じた場合に、板状体によって液体の動きが制限され得る（いわゆる波消効果）。
【先行技術文献】
【特許文献】
【０００３】
【特許文献１】特開２００６−７４１号公報
【発明の概要】
【発明が解決しようとする課題】
【０００４】
上記のような液体タンク装置では、液体タンク内の水位が板状体の下端よりも低くなった場合、板状体が液体に浸漬されなくなるため、板状体による波消効果を望むことができない。一方、ストレーナにおける板状体の下端が液体タンクの底部近傍の高さ位置まで延在しているとすれば、液体タンク内の水位が下がったとしても板状体による波消効果が持続し得る。しかしながら、ストレーナは異なる種類の液体タンクに共通して用いられることが多い。そのため、板状体の下端と液体タンクの底部とを近づけるためには、ストレーナに合わせた液体タンクの設計が必要になるため、液体タンクの設計の自由度が低下してしまう。
【０００５】
本発明は、液体タンクの設計の自由度が低下することを抑制できる液体タンク装置を提供することを目的とする。
【課題を解決するための手段】
【０００６】
本発明による液体タンク装置は、注入口（２２）から注入された液体を貯留する液体タンク（２）と、注入口（２２）に支持されて、少なくとも一部が液体タンク（２）の内側空間（Ｓ）に配置される支持体（５）と、支持体（５）に取り付けられて、内側空間（Ｓ）に配置される波消体（９）と、を備え、支持体（５）と波消体（９）とは、互いに別体として形成されており、固定手段（８）によって互いに固定されている。
【０００７】
このような液体タンク装置（１）によれば、液体タンク（２）の内側空間（Ｓ）において、支持体（５）に取り付けられた波消体（９）が貯留された液体に接触し得る。そのため、液体タンク（２）の揺れに応じて液体が波が生じた際に、液体の流動に対して波消体（９）が抵抗を与え、液体の流動が抑制される。支持体（５）とは波消体（９）とは互いに別体として形成されているので、液体タンク（２）の形状に応じて設計された波消体（９）を支持体（５）に取り付けることができる。すなわち、液体タンク（２）の形状に応じて波消体（９）を選択することができるので、液体タンク（２）の設計の自由度の低下を抑制できる。
【０００８】
支持体（５）は、注入口（２２）から注入される液体を濾過する濾過部分（７）を有するストレーナ（５）であってもよい。この構成では、ストレーナによって波消体（９）が支持されるので、波消体（９）を支持するための専用の部材を設ける必要がない。
【０００９】
波消体（９）の下端は、液体タンク（２）の底部に沿った形状を有し、波消体（９）は、下端が底部に沿うように、支持体（５）に支持されていてよい。この構成のように、板状部の下端が液体タンクの底部に沿うように配置されることで、波消効果の持続時間を長く保つことができる。
【００１０】
波消体（９）は、支持体（５）と波消体（９）とが互いに嵌合することにより、支持体（５）に取り付けられていてよい。この構成では、支持体（５）と波消体（９）とを互いに固定するためのネジ等の締結部材が必要ない。
【００１１】
固定手段（８）は、支持体（５）に形成された、上向きに凹状をなす溝部（８１，８３）であり、波消体（９）は、溝部（８１，８３）に嵌合することにより、支持体（５）に取り付けられていてもよい。この構成では、支持体（５）と波消体（９）とを互いに固定するためのネジ等の締結部材が必要ない。
【発明の効果】
【００１２】
本発明によれば、上下方向における液体の動きを抑制することができる液体タンク装置を提供できる。
【図面の簡単な説明】
【００１３】
【図１】一例の液体タンク装置を示す斜視図である。
【図２】上下方向に沿って切断された液体タンク装置を示す断面図である。
【図３】ストレーナ及び波消体を示す斜視図である。
【図４】ストレーナ及び波消体を示す底面図である。
【図５】ストレーナ及び波消体を示す断面図である。
【図６】ストレーナ及び波消体を部分的に拡大して示す断面図である。
【発明を実施するための形態】
【００１４】
以下、本発明に係る実施の形態について図面を参照しながら具体的に説明する。便宜上、実質的に同一の要素には同一の符号を付し、その説明を省略する場合がある。
【００１５】
図１は、液体タンク装置１を示す斜視図である。図２は、液体タンク装置１を示す断面図である。図２では、注入口２２からＸ方向にずれた位置でＹＺ平面に沿って切断された液体タンク装置１を示している。本実施形態において、液体タンク装置１は、農薬等の液体を散布するための、いわゆる背負式動力噴霧機に適用され得る。例えば、液体タンク装置１には、作業者が液体タンク装置１を背負うための背負いバンドが設けられていてもよい。なお、以下においては、背負式動力噴霧器に適用される液体タンク装置１を説明し、作業者が動力噴霧機を背負った状態での作業者側（図面においてＹ方向の矢印が指す側）を前側として前後方向を規定する。これにより、前後方向に交差（直交）する水平方向（Ｘ方向）が左右方向として規定され、前後方向及び水平方向に交差（直交）する方向が上下方向（Ｚ方向）として規定される。
【００１６】
液体タンク装置１は、液体タンク２と、ストレーナ５と、波消体９とを含んでいる。液体タンク２は、内側空間Ｓに薬液等の液体を貯留し得る。液体タンク２の下部（底部）２５には、液体タンク２の内側に向かって盛り上がる形状を呈する凹部２１が形成されている。この凹部２１には、動力源を構成するポンプ及びモータが液体タンク２に固定されるようにして配置され得る。液体タンク２が背負式動力噴霧機に適用された場合、ポンプの駆動により液体タンク２から薬液が吸引され、噴霧ホースに圧送され、噴霧ノズルから薬液の散布が可能となっている。なお、図示例において、ポンプ、モータ、噴霧ホース、噴霧ノズル等は描かれていない。
【００１７】
液体タンク２は、例えば半透明の合成樹脂によって形成されており、内側空間Ｓに貯留された液体の量を外部から視認することができる。一例として、液体タンク２は、ブロー成形によって形成され得る。液体タンク２の上部には、液体タンク２の内側空間Ｓに液体を注入するための注入口２２が形成されている。注入口２２を形成する円筒部２２ａの外周面に対して、タンク蓋（不図示）が例えば螺子等により着脱可能に装着され得る。
【００１８】
液体タンク２の上下方向の中央の位置には、支持部２３が形成されている。支持部２３は、作業衣者が液体タンク２を支持する際に、液体タンク２に手をかける部分である。図示例の支持部２３は、液体タンク２の外周面に形成されている。支持部２３は、液体タンク２の内側に向かって凹む形状を有している。
【００１９】
図３は、ストレーナ５及び波消体９を示す斜視図である。図４は、ストレーナ５及び波消体９を示す底面図である。図５は、ストレーナ５及び波消体９を示す断面図である。図３〜図５においては、ストレーナ５に波消体９が取り付けられている状態が示されている。ストレーナ５は、注入口２２に挿入される略円筒状の筒状部分６と、この筒状部分６の下端に設けられた濾過部分７と、濾過部分の下端に設けられた固定部分（固定手段）８と、を備えている。筒状部分６、濾過部分７及び固定部分８は、例えば所定の弾性を有する合成樹脂によって一体成形されている。
【００２０】
筒状部分６は、その軸線方向に沿って、上側から上部６１、中間部６３及び下部６５の３つの部分に区分されている。上部６１の外径は中間部６３の外径よりも大きく、下部６５の外径は中間部６３の外径よりも小さい。本実施形態では、例えば、上述した円筒部２２ａの内周に、径方向内側に突出する円環状の突出部（不図示）が設けられており、当該突出部に筒状部分６が支持されている。一例として、中間部６３の外径は、注入口２２に形成された突出部の内縁によって画成される円の直径よりも小さく、上部６１の外径は、注入口２２の開放端の外径よりも小さく、かつ、前記円の直径よりも大きい。したがって、筒状部分６を下部６５側から注入口２２に挿入すると、中間部６３と上部６１との間の段差６４が突出部に載置され、筒状部分６が注入口２２内で保持される。この状態において、筒状部分６の上端は開放されているので、そこから液体を筒状部分６に注入し、濾過部分７にて液体に含まれている異物を濾過することが可能となる。
【００２１】
濾過部分７は、筒状部分６内を通過した液体から異物を除去し濾過するための部分である。濾過部分７は、筒状部分６の下端（すなわち下部６５の下端開口）を周方向に均等に区画するように設けられた複数本（図示実施形態では６本）の骨部材７１を有する。複数本の骨部材７１は、濾過部分７の中心Ｃの位置において互いに接続している。また、それぞれの骨部材７１は、下部６５の内周に接続している。すなわち、これらの骨部材７１は、濾過部分７の中心から下部６５の内周まで放射状に延在している。濾過部分７は、骨部材７１によって複数の扇状開口部７３に区画されている。扇状開口部７３には、液体タンク２に注入される液体に含まれる異物を捕捉するメッシュ（不図示）が設けられている。
【００２２】
固定部分８は、ストレーナ５と波消体９とを互いに固定するための固定手段として機能する。本実施形態において、固定部分８は、上向きに凹状をなす一対の溝部８１と一対の溝部８３とを含んでいる。図示例では、溝部８１によってストレーナ５と波消体９とが互いに固定されているが、溝部８３によってストレーナ５と波消体９とが互いに固定されてもよい。一例において、溝部８１の延在する方向と溝部８３の延在する方向とは、上下方向から見て互いに交差（直交）している。
【００２３】
一対の溝部８１は、前後方向（Ｙ方向）に沿って延在しており、濾過部分７の中心Ｃを挟んで互いに離間している。一例として、溝部８１は、互いに隣り合う骨部材７１における下部６５との接続位置同士を接続するように直線状に設けられている。また、一対の溝部８３は、左右方向（Ｘ方向）に沿って延在しており、濾過部分７の中心Ｃを挟んで互いに離間している。一例として、溝部８３は、互いに隣り合う扇状開口部７３を画成する下部６５の内周同士を接続するように直線状に設けられている。
【００２４】
波消体９は、液体タンク２に貯留された液体に抵抗を与えるものである。本実施形態における波消体９は、ストレーナ５に取り付けられる一対の板状体９１を有している。板状体９１は、例えば略矩形板状をなしており、液体タンク２に貯留された液体に浸漬された状態で、板面に交差する方向に移動する液体に抵抗を与える。板状体９１は、上端９１ｃが固定部分８に固定されることによって、ストレーナ５に支持されている。図２に示すように、一例においては、液体タンク２の下部２５に凹部２１が設けられており、この凹部２１によって液体タンク２の底面は内側に向かって盛り上がっている。本実施形態では、板状体９１の下端９１ｂが液体タンク２の下部（底部）２５に沿った形状を有している。すなわち、板状体９１の下端９１ｂには、板状体９１が液体タンク２の底面に干渉しないための傾斜部９１ａが形成されている。一例の傾斜部９１ａは、板状体９１の下部後側において、Ｙ方向及びＺ方向に交差する方向に沿って延びている。
【００２５】
板状体９１の幅（Ｙ方向の寸法）は、平面視において、溝部８１が形成されている位置を通る、ストレーナ５の外周に内接する直線（線分）と同程度の長さであってよい。この場合、板状体９１が溝部８１に固定された状態のままでストレーナ５を液体タンク２の注入口２２に容易に装着することができる。
【００２６】
板状体９１の高さ（上下方向寸法）は、ストレーナ５を注入口２２に装着した状態において、板状体９１の少なくとも一部が液体タンク２内の一定量の液体に浸漬され得る大きさである。図示例では、板状体９１は、液体タンク２の下部２５の近傍まで延在している。
【００２７】
続いて、ストレーナ５と波消体９との固定部分について、さらに説明する。図６は、ストレーナ５及び波消体９を部分的に拡大して示す断面図である。図６では、図５における符号Ａで示される部分について、分離した状態のストレーナ５と板状体９１とを拡大して示している。図６に示すように、本実施形態における溝部８１は、下側に向かって突出する一対の側壁部８１ａを有する。一対の側壁部８１ａは、幅Ｗ１の距離を空けて互いに平行となるように延在している。一対の側壁部８１ａでは、下端における内側の縁部８１ｂが傾斜して形成されている。そのため、一対の側壁部８１ａによって構成される溝では、開口側の幅が奥側の幅Ｗ１に比べて広く形成されている。
【００２８】
本実施形態では、溝部８１における一対の側壁部８１ａ同士の間に、板状体９１の上端９１ｃが圧入（スライド圧入）されることによって、溝部８１に対して板状体９１が嵌合（固定）されている。すなわち、溝部８１を形成している樹脂の弾性に起因して板状体９１の上端９１ｃが溝部８１に挟持される。一例では、一対の側壁部８１ａの縁部８１ｂに対して、板状体９１における上端９１ｃの縁部を接触させることで板状体９１の位置合わせし、その状態で板状体９１を溝部８１の奥側に押し込む。
【００２９】
以上説明した液体タンク装置１を使用する場合、ストレーナ５を装着する前に、所定量を計量した濃縮薬液を注入口２２から投入する。濃縮薬液の投入が完了した後、液体タンク２の注入口２２にストレーナ５を装着する。この際、ストレーナ５には、一対の板状体９１が取り付けられた状態となっている。そのため、ストレーナ５が注入口２２に装着された状態では、板状体９１が液体タンク２の内側空間Ｓ内においてＹＺ平面に沿って延在することになる。
【００３０】
このようにしてストレーナ５が注入口２２に取り付けられたならば、濃縮薬液を所定濃度に薄めるための水をストレーナ５の開放端から注入する。注入する水の分量確認は、半透明の液体タンク２の外部から液面を眺め、液体タンク２に刻設された目盛り等と対比して行う。例えば、板状体９１の少なくとも一部（下部側）が浸漬する程度の水位になるように、水が注入される。本実施形態では、板状体９１の下端９１ｂが液体タンクの底面近傍まで延在しているので、少量の水が注入されただけでも板状体９１の一部が浸漬する。水に含まれる異物は、ストレーナ５の濾過部分７によって捕捉され、液体タンク２内への異物の混入が防止される。液体タンク２に水を注入し終わった後、注入口２２にタンク蓋を装着する。これにより、作業者は例えば背負式動力噴霧機による作業を開始することができる。
【００３１】
このような作業を行う場合、背負式動力噴霧機は作業者に背負われて用いられるものであるため、作業者の歩行に伴い、液体タンク２が不規則に揺れ、液体タンク２内の薬液に波立ちが生じ易い。しかし、液体タンク装置１によれば、液体タンク２の内側空間Ｓにおいて、貯留された液体に板状体９１が浸漬している。そのため、液体の水平方向の流動に対して板状体９１が抵抗を与え、液体の流動が抑制される。
【００３２】
また、液体タンク装置１では、ストレーナ５とは波消体９とが互いに別体として形成されているので、液体タンク２の形状に応じて設計された波消体９をストレーナ５に取り付けることができる。すなわち、液体タンク２の形状に応じて波消体９を選択することができるので、液体タンク２の設計の自由度の低下を抑制できる。
【００３３】
また、本実施形態では、ストレーナ５によって波消体９が支持されるので、波消体９を支持するための専用の部材を設ける必要がない。これにより、液体タンク装置１の部品点数が削減されるとともに、液体タンク装置１の製造を簡易に行うことができる。
【００３４】
また、板状体９１の下端９１ｂは、液体タンク２の底部に沿った形状を有しており、板状体９１は、下端９１ｂが底部に沿うように、ストレーナ５に支持されている。この構成のように、板状体９１の下端９１ｂが液体タンク２の底部に沿うように配置されることで、波消効果の持続時間を長く保つことができる。
【００３５】
また、板状体９１は、ストレーナ５と板状体９１とが互いに嵌合することにより、ストレーナ５に取り付けられている。この構成では、ストレーナ５と板状体９１とを互いに固定するためのネジ等の締結部材が必要ない。そのため、液体タンク装置１の部品点数が削減されるとともに、液体タンク装置１の製造を簡易に行うことができる。
【００３６】
特に、板状体９１は、溝部８１に嵌合することにより、ストレーナ５に取り付けられている。この構成では、板状体９１の上端９１ｃが比較的広い範囲にわたって溝部８１によって挟持されるため、板状体９１をストレーナ５に強固に固定することができる。
【００３７】
以上、一実施形態について図面を参照して詳述したが、具体的な構成はこの実施形態に限られない。
【００３８】
例えば、ストレーナ５と板状体９１とを固定する固定手段として、ストレーナ５に形成されている溝部８１，８３を例示したが、固定手段はこれに限定されない。例えば、板状体９１はネジ等の締結手段によってストレーナ５に固定されてもよい。また、ストレーナ５と板状体９１とは、例えば一方に形成された円柱状の凹部に対して他方に形成された円柱状の凸部が嵌合することによって、互いに固定されてもよい。
【００３９】
また、上記実施形態においては、背負式動力噴霧機に液体タンク装置を適用した例を述べているが、液体タンク装置は液体タンクを備える背負式作業機全てに適用可能であり、また、牽引式、クローラ式、前後輪により走行し液体タンクを有する車両に対しても適用できる。
【００４０】
また、板状体９１を液体タンク２の内側空間に支持する支持体として、ストレーナを例示したが、支持体は、必ずしもストレーナである必要はなく、板状体９１を支持するための専用部材であってもよい。
【符号の説明】
【００４１】
１…液体タンク装置、２…液体タンク、５…ストレーナ（支持体）、８…固定部分（固定手段）、９…波消体、２２…注入口、８１，８３…溝部、Ｓ…内側空間。
【図１】
2020189680.tif 000003
【図２】
2020189680.tif 000004
【図３】
2020189680.tif 000005
【図４】
2020189680.tif 000006
【図５】
2020189680.tif 000007
【図６】
2020189680.tif 000008